(57)【特許請求の範囲】
【請求項１】
一次側の電力を二次側の電力に変換する電源回路を有する電源基板と、
前記一次側の電力を当該電力の供給先へ伝達する第１のハーネスが配線される第１の配線経路と前記二次側の電力を当該電力の供給先へ伝達する第２のハーネスが配線される第２の配線経路とが形成された配線構造と、
前記電源基板と前記配線構造とが取り付けられる取り付け部材と、
を有し、
前記配線構造においては、
前記第１の配線経路にかかわる構造は、前記第１の配線経路に前記第１のハーネスが配線された場合に当該第１のハーネスと当該構造とが一体化された状態となるよう形成され、
前記第１の配線経路は前記第２の配線経路よりも低い位置に形成され、
前記配線構造と前記電源基板とは、
前記第１の配線経路にかかわる構造と前記電源基板の周辺部分とが接触または近接した状態で前記取り付け部材に取り付けられ、
さらに、前記配線構造と前記電源基板とが前記取り付け部材に取り付けられている状態のときは、前記取り付け部材に取り付けられる前の前記配線構造の場合に比較して、前記第１のハーネスが前記第１の配線経路から離脱するのを規制する度合いが高くなっている、
ことを特徴とする電子機器。
【請求項２】
前記第１の配線経路にかかわる構造は、
前記第１の配線経路に配線された前記第１のハーネスが当該第１の配線経路から離脱するのを規制する構造に形成されている、
ことを特徴とする請求項１に記載の電子機器。
【請求項３】
前記取り付け部材の下方側の予め定められた位置に着脱するように設けられる交換ユニット、を更に備え、
前記取り付け部材に取り付けられた前記配線構造および前記電源基板が取り外された後に、当該取り付け部材が取り外された場合に、前記交換ユニットの上方側が開放される、
ことを特徴とする請求項１または２に記載の電子機器。
【請求項４】
前記電源基板の前記電源回路の二次側には、過電流から当該電源回路あるいは二次側の電力の供給先を保護する保護手段が設けられている、
ことを特徴とする請求項１〜３の何れか一項に記載の電子機器。
【発明の詳細な説明】
【技術分野】
【０００１】
本発明は、電子機器に関するものである。
【背景技術】
【０００２】
画像形成装置においては、例えば５Ｖや２４Ｖ等の直流の電圧（低電圧）を、各種の画像形成部材を駆動する駆動モータなど二次側の電力供給先に供給するために、低電圧供給電源（ＬＶＰＳ）が用いられている。この低電圧供給電源（ＬＶＰＳ）は、コンセントより供給される商用電源である例えば１００Ｖの交流電圧をスイッチング素子によってオンオフ（ＯＮ／ＯＦＦ）し、このオンオフにより得られる電圧を変圧器によって変圧し、さらに変圧後の電圧を整流器によって整流して直流の電圧（低電圧）を生成する。このようにして得られる直流の電圧が上記二次側の電力供給先に向けて供給される。
【０００３】
なお、このような装置としては、例えば特許文献１に記載されたものが知られている。
【先行技術文献】
【特許文献】
【０００４】
【特許文献１】特開２００２−２５８７１５号公報
【発明の概要】
【発明が解決しようとする課題】
【０００６】
本発明は、安全性を確保することのできる電子機器を提供することを目的とする。
【課題を解決するための手段】
【０００８】
上記課題を解決するため、請求項１に記載の本発明の電子機器は、一次側の電力を二次側の電力に変換する電源回路を有する電源基板と、前記一次側の電力を当該電力の供給先へ伝達する第１のハーネスが配線される第１の配線経路と前記二次側の電力を当該電力の供給先へ伝達する第２のハーネスが配線される第２の配線経路とが形成された配線構造と、前記電源基板と前記配線構造とが取り付けられる取り付け部材と、を有し、前記配線構造においては、前記第１の配線経路にかかわる構造は、前記第１の配線経路に前記第１のハーネスが配線された場合に当該第１のハーネスと当該構造とが一体化された状態となるよう形成され、前記第１の配線経路は前記第２の配線経路よりも低い位置に形成され、前記配線構造と前記電源基板とは、前記第１の配線経路にかかわる構造と前記電源基板の周辺部分とが接触または近接した状態で前記取り付け部材に取り付けられ、さらに、前記配線構造と前記電源基板とが前記取り付け部材に取り付けられている状態のときは、前記取り付け部材に取り付けられる前の前記配線構造の場合に比較して、前記第１のハーネスが前記第１の配線経路から離脱するのを規制する度合いが高くなっている、ことを特徴とする。
【０００９】
請求項２に記載の発明は、上記請求項１に記載の発明において、前記第１の配線経路にかかわる構造は、前記第１の配線経路に配線された前記第１のハーネスが当該第１の配線経路から離脱するのを規制する構造に形成されている、ことを特徴とする。
【００１１】
請求項３に記載の発明は、上記請求項１または２に記載の発明において、前記取り付け部材の下方側の予め定められた位置に着脱するように設けられる交換ユニット、を更に備え、前記取り付け部材に取り付けられた前記配線構造および前記電源基板が取り外された後に、当該取り付け部材が取り外された場合に、前記交換ユニットの上方側が開放される、ことを特徴とする。
【００１２】
請求項４に記載の発明は、上記請求項１〜３の何れか一項に記載の発明において、前記電源基板の前記電源回路の二次側には、過電流から当該電源回路あるいは二次側の電力の供給先を保護する保護手段が設けられている、ことを特徴とする。
【発明の効果】
【００１４】
請求項１記載の発明によれば、本発明を採用しない場合に比較して、安全性を確保することができる。
また、請求項１記載の発明によれば、本発明を採用しない場合に比較して、配線構造および電源基板が取り付け部材に取り付けられているときに、第１のハーネスが配線構造から取り外されるのを抑制することができる。
【００１５】
請求項２記載の発明によれば、本発明を採用しない場合に比較して、第１のハーネスと配線構造以外の部材との接触を抑制することができる。
【００１７】
請求項３記載の発明によれば、本発明を採用しない場合に比較して、第１のハーネスを配線構造から取り外すことなく、交換ユニットに対する所望の作業を実施することができる。
【００１８】
請求項４記載の発明によれば、本発明を採用しない場合に比較して、第２のハーネスと配線構造以外の部材との接触に起因する電源回路の二次側の短絡の事象が発生した場合であっても、当該電源回路または当該電源回路の二次側の電力が供給される供給先を過電流から保護することができる。
【図面の簡単な説明】
【００１９】
【図１】実施の形態に係る画像形成装置の構成を示す構成図である。
【図２】実施の形態に係る電源基板の有する電源回路の構成を示す構成図である。
【図３】実施の形態に係る絶縁ガイドを示す斜視図である。
【図４】実施の形態に係る絶縁ガイドを他の方向から見た場合の当該絶縁ガイドを示す斜視図である。
【図５】実施の形態に係る絶縁ガイドの正面を示す正面図である。
【図６】実施の形態に係る絶縁ガイドの異なる複数の部位のそれぞれの断面を示す断面図である。
【図７】実施の形態に係る絶縁ガイドが板金に取り付けられた状態の様子を示す斜視図である。
【図８】実施の形態に係る絶縁ガイドおよび電源基板が板金に取り付けられた様子を示す斜視図である。
【図９】実施の形態に係る絶縁ガイドが板金に取り付けられた状態を他の方向から見た様子を示す斜視図である。
【図１０】実施の形態に係る絶縁ガイドおよび電源基板が板金に取り付けられた状態を他の方向から見た様子を示す斜視図である。
【図１１】実施の形態に係る絶縁ガイドと電源基板と交換ユニットとの関係を説明する図である。
【図１２】実施の形態に係る第１のハーネスおよび第２のハーネスが配線された絶縁ガイドと電源基板とが板金に取り付けられた電源ユニットの様子を示す図である。
【図１３】実施の形態に係る第１のハーネスおよび第２のハーネスが配線された絶縁ガイドと電源基板とが板金に取り付けられた電源ユニットの一部を拡大した様子を示す図である。
【図１４】実施の形態に係る第１のハーネスおよび第２のハーネスが配線された絶縁ガイドの正面の一部を示す図である。
【図１５】実施の形態に係る画像形成装置の交換ユニットに対する所望の作業を実施する場合の電源ユニットの取り外しおよび取り付けの方法を説明する図である。
【発明を実施するための形態】
【００２０】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２１】
実施の形態に係わる画像形成装置について、図１を参照して説明する。
【００２２】
画像形成装置１は、電子機器の機能を果たすものであり、図１に示すように、電源ユニット１０、制御系２０、画像形成部３０、および給紙装置４０を備えている。
【００２３】
電源ユニット１０は、一次側の電力を二次側の電力に変換するものであり、一次側の電力を当該電力の供給先（電力消費負荷）へ供給するとともに二次側の電力を当該電力の供給先（電力消費負荷）へ供給する。
【００２４】
電源ユニット１０は、一次側の電力および二次側の電力のそれぞれの伝達に使用されるハーネスが配線される絶縁ガイド１００と、一次側の電力を二次側の電力に変換する電源回路を有する電源基板２００と、絶縁ガイド１００および電源基板２００が取り付けられる取り付け部材としての板金３００とを有している。なお、電源ユニット１０の詳細については後述する。
【００２５】
制御系２０は、例えば図示しないコンピュータからの印刷データを取得して画像形成（印刷）形式の画像データ（ラスタデータ）に変換するとともに、色変換や階調補正など画像処理を実施する図示しない第１の制御部と、この第１の制御部からの画像データと制御情報に基づき、画像形成部３０による画像形成を制御する図示しない第２の制御部とを備えている。
【００２６】
画像形成部３０は、図１に示すように、像保持体としての感光体ドラム３１、感光体ドラム３１の表面を所望の極性の電位に帯電させる帯電手段としての帯電装置３２、帯電された感光体ドラム３１に向けて画像データに対応するレーザ光（露光光）を照射して感光体ドラム３１表面上に静電潜像を形成する露光手段としての光走査装置３３、感光体ドラム３１に形成された静電潜像に現像剤（トナー）を与えて現像する現像手段としての現像装置３４、感光体ドラム３１に形成されたトナー像を用紙など記録媒体に転写させる転写手段としての転写ローラ（転写装置）３５、トナー像が転写された記録媒体に対し熱および圧力を与えてトナー像を定着させる定着手段としての定着装置（フューザー）３６、および感光体ドラム３１の周面上の残留トナーを除去するクリーニング手段としてのクリーニング装置３７を備えている。
【００２７】
また、画像形成部３０は、ＤＣサーボモータ、ステッピングモータなどモータ３８を備えている。
【００２８】
ＤＣサーボモータは、感光体ドラム３１の駆動用モータ、現像装置３４のトナー撹拌に用いられるモータ、転写ローラ（定着装置）３６のローラ駆動用モータなどとして適用される。
【００２９】
また、ステッピングモータは、駆動系のフィード（搬送）用モータ、光走査装置３３の位置調整（レジ）用モータなどとして適用される。
【００３０】
なお、図１では、上述したＤＣサーボモータやステッピングモータなど複数のモータを総称してモータ３８としている。
【００３１】
給紙装置４０は、例えばＡ４サイズやＢ５サイズなど定形サイズの記録媒体を収容し、指定される定形サイズの記録媒体を画像形成部３０へ供給する。
【００３２】
制御系２０、定着装置３６の発熱源およびモータ３８には、それぞれ電源ユニット１０から各構成要素が動作するのに適した所望の電圧（所望の電力）が供給されるようになっている。なお、モータ３８は、詳細は後述するインターロックスイッチ２０３を介して所望の電圧（所望の電力）が供給される。
【００３３】
次に、電源ユニット１０の詳細について説明する。
【００３４】
電源基板２００の有する電源回路２００Ａは、一次側の電力を二次側の電力に変換するものであり、図２に示すように、整流器（入力側整流器）２１０、コンデンサ（入力側電解コンデンサ）２２０、変圧器（トランス）２３０、スイッチング素子２４０、整流器（出力側整流器）２５０、コンデンサ（出力側電解コンデンサ）２６０、過電流保護回路２７０およびスイッチ（ＳＷ）素子２８０を備えている。
【００３５】
なお、実施の形態においては、電源回路２００Ａの一次側には漏電遮断器（漏電ブレーカ）は設けられていない。
【００３６】
整流器２１０は、コネクタＣＮ１１Ｃを介して供給される商用電源（交流電源）等の入力電源からの交流電圧（電流）を整流する。
【００３７】
コンデンサ２２０は、整流された電圧（電流）を平滑化する。
【００３８】
変圧器２３０は、平滑化された電圧を一次巻き線Ｍ１と二次巻き線Ｍ２との巻き数比に応じて変圧する。変圧器２３０には、複数種類の出力電圧が得られるように、一次巻き線と複数の二次巻き線とが巻かれている。
【００３９】
スイッチング素子２４０は、図示しないスイッチング制御部から発せられる高周波パルス信号によって高速でオンオフのスイッチング動作を繰り返す。
【００４０】
その結果、変圧器２３０の一次巻き線Ｍ１に高周波パルス電流が通電され、二次巻き線Ｍ２には誘導起電力が発生する。
【００４１】
この誘導起電力は整流器２５０によって直流に整流され、更にコンデンサ２６０によって平滑化された後、コネクタＣＮ２１Ｂを介して直流電圧として電力供給先（電力消費負荷）に供給される。
【００４２】
過電流保護回路２７０は、保護手段の機能を果たすものであり、電源基板２００の電源回路２００Ａの二次側に設けられ、電源回路２００Ａの出力電流が規定値以上流れないように、電源回路２００あるいは二次側の電力供給先例えばモータ３８を保護する。また、過電流保護回路２７０は、例えば二次側の短絡に起因する過電流から当該電源回路２００あるいは二次側の電力供給先例えばモータ３８を保護する。過電流保護回路２７０としては、例えば継電器（リレー）やヒューズなどが挙げられる。
【００４３】
ここで、変圧器２３０の二次巻き線Ｍ２、整流器２５０、コンデンサ２６０および過電流保護回路２７０は、二次回路を構成する。
【００４４】
この実施の形態では、上記二次回路と同様に、他の所望の出力電圧を得るための他の二次回路が形成されている。
【００４５】
電源回路２００Ａで生成される直流電圧は、その電圧値に応じてモータ３８、光走査装置３３、制御系２０に向けて供給される。
【００４６】
ところで、一端にコネクタＣＮ１１Ａが接続され他端にコネクタＣＮ１２Ａが接続された第１のハーネス２０１のコネクタＣＮ１１Ａが、電源基板２００に設けられたコネクタＣＮ１１Ｂと接続されている。第１のハーネス２０１のコネクタＣＮ１２Ａが、一端が定着装置３６の発熱源（加熱ヒータなど）に接続され他端にコネクタＣＮ１２Ｂが接続されたハーネスのコネクタＣＮ１２Ｂと接続されている。
【００４７】
コネクタＣＮ１１Ｃを介して供給される交流電源等の入力電源からの交流電圧（電流）は、スイッチ（ＳＷ）素子２８０、コネクタＣＮ１１Ｂ、第１のハーネス２０１、およびコネクタＣＮ１２Ｂを介して定着装置３６へ提供される。
【００４８】
スイッチ（ＳＷ）素子２８０は、定着装置３６の図示しない加熱ヒータ制御部の指示に従って、開状態（非導通状態）または閉状態（導通状態）に切り替わり、定着装置３６への通電をオン／オフ制御するものであり、例えば、トライアックで構成される。
【００４９】
また、一端にコネクタＣＮ２１Ａが接続され他端にコネクタＣＮ２２Ａが接続された第２のハーネス２０２のコネクタＣＮ２１Ａが、電源基板２００に設けられたコネクタＣＮ２１Ｂと接続されている。第２のハーネス２０２のコネクタＣＮ２２Ａが、一端がモータ３８に接続され他端にコネクタＣＮ２２Ｂが接続されたハーネスのコネクタＣＮ２２Ｂと接続されている。モータ３８とコネクタＣＮ２２Ｂとの間には、インターロックスイッチ２０３が設けられている。
【００５０】
インターロックスイッチ２０３は、図示しない開閉蓋（画像形成装置本体のカバー）に取り付けられ、この開閉蓋が閉状態のときはオン状態（通電状態）となり、この開閉蓋が開状態のときはオフ状態（非通電状態）となる。つまりインターロックスイッチ２０３は、上記開閉蓋の開閉の状態に応じて通電を断続する機能を有している。
【００５１】
次に、絶縁ガイド１００について、図３を参照して説明する。
【００５２】
絶縁ガイド１００は、絶縁部材で構成され、図３に示すようにＬ字状の形状に形成されている。
【００５３】
絶縁ガイド１００は、一次側の電力の伝達に使用される第１のハーネス２０１が配線される第１の配線経路１０１と二次側の電力の伝達に使用される第２のハーネス２０２が配線される第２の配線経路１０２とが形成された構造を有し、第１の配線経路１０１にかかわる構造は、第１のハーネス２０１が配線された場合に当該第１のハーネス２０１と当該構造とが一体化された状態となるよう形成されている。
【００５４】
第１のハーネス２０１は、一次側のハーネスであり、上述したように電源回路２００Ａでの一次側の電力を当該電力の供給先（電力供給先）例えば定着装置３６の発熱源へ伝達する（図２参照）。
【００５５】
第２のハーネス２０２は、二次側のハーネスであり、上述したように電源回路２００Ａでの二次側の電力を当該電力の供給先（電力供給先）例えばモータ３８（この例ではインターロックスイッチ２０３を介してモータ３８）へ伝達する（図２参照）。
【００５６】
第１の配線経路１０１と第２の配線経路１０２とは並列に形成されているとともに（図３、図５および図６参照）、第１の配線経路１０１は第２の配線経路１０２よりも低い位置に形成されている（図６参照）。
【００５７】
第１の配線経路１０１にかかわる構造は、側面部材１１０および側面部材１２０と底面部材１３０とで凹部状に形成されている（図６参照）。
【００５８】
また、第１の配線経路１０１にかかわる構造は、第１の配線経路１０１に配線された第１のハーネス２０１が第１の配線経路１０１から離脱するのを規制する構造に形成されている。
【００５９】
すなわち、第１の配線経路１０１にかかわる構造においては、側面部材１１０は、図３に示すように、予め定められた長さ（第１の配線経路１０１の長手方向の長さ）１１１Ａの開口部１１１（図５参照）が、側面部材１１０の第１の配線経路１０１の長手方向に、予め定められた間隔で複数形成されている。
【００６０】
ところで、第１の配線経路１０１の幅は、２本の第１のハーネス２０１が並列に配線されるべく、図５に示すように側面部材１１０と側面部材１２０の互いに対向する２つの側面の間の距離（長さ）Ｌ１となっている。
【００６１】
なお、第１のハーネス２０１は側面部材１１０の開口部１１１を利用して配線されるので、第１の配線経路１０１の幅は、少なくとも、図５に示すように側面部材１２０における側面部材１１０と対向する側面と側面部材１１０における側面部材１２０と対向する側面とは反対の側面との間の距離（長さ）Ｌ１Ａを含むことになる。従って、第１の配線経路１０１の幅は、長さＬ１と長さＬ１Ａとを含むことになる。
【００６２】
また、側面部材１２０は、予め定められた長さ（第１の配線経路１０１の長手方向の長さ）１２１Ａと幅１２１Ｂのコの字形の部材１２１（図５参照）が、図３に示すように、側面部材１２０の第１の配線経路１０１の長手方向に、上記開口部１１１に対向するように予め定められた間隔で複数形成されている。
【００６３】
底面部材１３０とコの字形の部材１２１における底面部材１３０と対向する面との距離は、第１のハーネス２０１が第１の配線経路１０１に配線するのに必要な最低限の距離に設定されている。
【００６４】
なお、部材１２１は、第１のハーネス２０１が第１の配線経路１０１から離脱するのを規制する部材としての機能を有する。そのため、これ以降の説明においては、部材１２１を規制部材１２１と表記する。
【００６５】
規制部材１２１の長さ１２１Ａは、開口部１１１の長さ１１１Ａよりも短く設定されている。しかも、規制部材１２１における開口部１１１と対向する端部と側面部材１１０における開口部１１１に隣接する端部とで形成される空間（領域）例えば後述する図１３の符号２０５Ａの点線で囲まれる空間（領域）が、当該電源ユニット１０の製作者（工場の作業員など）が第１のハーネス２０１を第１の配線経路１０１に配線するのに必要な最低限の空間（領域）となるよう、側面部材１１０および開口部１１１と規制部材１２１とが設けられている。
【００６６】
第２の配線経路１０２にかかわる構造は、側面部材１２０および側面部材１４０と底面部材１５０とで凹部状に形成されている（図６参照）。
【００６７】
また、第２の配線経路１０２にかかわる構造においては、第２の配線経路１０２に配線された第２のハーネス２０２が当該第２の配線経路１０２から離脱するのを規制する凸部状の規制部材１４１が、側面部材１４０の当該第２の配線経路１０２の長手方向に、予め定められた間隔で複数配設されている。規制部材１４１の凸部の長さは、側面部材１２０と側面部材１４０の互いに対向する２つの側面の間の距離（長さ）またはこの長さよりも予め定められる長さだけ短い長さに設定されている（図５および図６参照）。
【００６８】
底面部材１５０と規制部材１４１における底面部材１５０と対向する面との距離は、第２のハーネス２０２を第２の配線経路１０２に配線するのに必要な最低限の距離に設定されている。
【００６９】
しかも、規制部材１４１における規制部材１２１と対向する端部と側面部材１２０における規制部材１２１に隣接する端部とで形成される空間（領域）例えば後述する図１３の符号２０５Ｂの点線で囲まれる空間（領域）が、当該電源ユニット１０の製作者（工場の作業員など）あるいはメンテナンス要員が第２の配線経路１０２に配線された第２のハーネス２０２の配線あるいは取り外しを容易に行える空間（領域）となるよう、側面部材１２０および規制部材１２１と規制部材１４１とが設けられている。
【００７０】
ところで、第２の配線経路１０２の幅は、２本の第２のハーネス２０２が並列に配線されるべく、図５に示すように側面部材１２０と側面部材１４０の互いに対向する２つの側面の間の距離（長さ）Ｌ２となっている。
【００７１】
なお、第２のハーネス２０２は規制部材１４１の凸部の先端を回り込むようにして配線（あるいは取り外し）されるので、第２の配線経路１０２の幅は、少なくとも、図５に示すように側面部材１４０における側面部材１２０と対向する側面と側面部材１２０における側面部材１４０と対向する側面とは反対の側面との間の距離（長さ）Ｌ２Ａを含むことになる。従って、第２の配線経路１０２の幅は、長さＬ２と長さＬ２Ａとを含むことになる。
【００７２】
ここで、図３に示す絶縁ガイド１００を矢印１００Ａの方向（正面の方向）から見た様子を図４に示し、絶縁ガイド１００の正面の一部を図５に示す。
【００７３】
また、図５に示す絶縁ガイド１００の異なる複数の部位（位置）のＡ−Ａ断面〜Ｄ−Ｄ断面を図６に示す。すなわち、Ａ−Ａ断面を図６（ａ）に示し、Ｂ−Ｂ断面を図６（ｂ）に示し、Ｃ−Ｃ断面を図６（ｃ）に示し、Ｄ−Ｄ断面を図６（ｄ）に示す。
【００７４】
第１のハーネス２０１および第２のハーネス２０２が配線されていない状態の絶縁ガイド１００を板金３００に取り付けた様子を図７に示す。この場合、絶縁ガイド１００は、ビスなど固定部材が使用されることなく、板金３００の４つの側面部材のうち３つの側面部材を利用して着脱されるように設けられる。
【００７５】
なお、板金３００には、電源基板２００をネジ止めにより固定するための雌ネジを有する６つの固定部材２０４が設けられている。
【００７６】
図７に示す状態からさらに電源回路２００Ａに対応する実装部品が設けられた電源基板２００を板金３００に取り付けた様子（電源ユニット１０の状態）を図８に示す。電源基板２００には、上記６つの固定部材２０４の配置位置に対応して、ネジ（雄ネジ）２０４Ａが貫通するための６つの穴が形成されている。そのため、電源基板２００は、上記６つの固定部材２０４の雌ネジの部位と上記６つの穴との位置が合った状態で、６つのネジ２０４Ａにより板金３００に固定される。
【００７７】
ここで、図７に示す状態を矢印１００Ｂの方向（正面の方向）から見た様子を図９に示し、図８に示す電源ユニット１０を矢印１００Ｃの方向（正面の方向）から見た電源ユニット１０を図１０に示す。
【００７８】
ところで、絶縁ガイド１００と電源基板２００とは、図１１に示すように、第１の配線経路１０１にかかわる構造と電源基板２００の周辺部分とが接触または近接した状態で板金３００に取り付けられている。
【００７９】
また、絶縁ガイド１００と電源基板２００とが板金３００に取り付けられている状態のときは、板金３００に取り付けられる前の絶縁ガイド１００の場合に比較して、第１のハーネス２０１が第１の配線経路１０１から離脱するのを規制する度合いが高くなっている。
【００８０】
板金３００の下方側の予め定められた位置には、交換ユニットとしての光走査装置３３が着脱するように設けられる。板金３００は、画像形成装置１の図示しない装置本体の予め定められた位置の部位に例えばネジ止めにより固定される。
【００８１】
そして、板金３００に取り付けられた絶縁ガイド１００および基板２００が取り外された後に、当該板金３００が取り外された場合に、光走査装置３３の上方側が開放される。
【００８２】
第１のハーネス２０１および第２のハーネス２０２が配線された絶縁ガイド１００と電源基板２００とが板金３００の予め定められた配置位置に取り付けられた様子（電源ユニット１０）を、図１２に示す。
【００８３】
また、図１２に示す電源ユニット１０の符号２０５で示される点線で囲まれた部分を拡大した様子を、図１３に示す。図１３に示す電源ユニット１０の絶縁ガイド１００に注目した場合の絶縁ガイド１００の上面（正面）の様子を、図１４に示す。
【００８４】
電源ユニット１０においては、図１３に示す符号２０５Ａで示される点線で囲まれた部分の空間（領域）を利用して、第１のハーネス２０１を第１の配線経路１０１から離脱されないようになっている。
【００８５】
すなわち、第１のハーネス２０１および第２のハーネス２０２が配線された絶縁ガイド１００および電源基板２００が板金３００に取り付けられた状態においては、絶縁ガイド１００に配線された第１のハーネス２０１のコネクタＣＮ１１Ａが電源基板２００のコネクタＣＮ１１Ｂから取り外された場合であっても、上記符号２０５Ａで示される点線で囲まれた部分の空間（領域）を利用して、第１のハーネス２０１の第１の配線経路１０１にかかわる構造（絶縁ガイド１００）からの取り外しは行えない。
【００８６】
また、第１のハーネス２０１および第２のハーネス２０２が配線された絶縁ガイド１００および電源基板２００が板金３００に取り付けられた状態においては、絶縁ガイド１００に配線された第２ハーネス２０２のコネクタＣＮ２１Ａが電源基板２００のコネクタＣＮ２１Ｂから取り外された場合に、上記符号２０５Ｂで示される点線で囲まれた部分の空間（領域）を利用して、第２のハーネス２０２の第２の配線経路１０２にかかわる構造（絶縁ガイド１００）からの取り外しが行える。
【００８７】
次に、画像形成装置１の交換ユニット（この例では光走査装置３３）に対する所望の作業を実施する場合の電源ユニット１０の取り外しおよび取り付けの方法について、図１５を参照して説明する。
【００８８】
前提条件として、絶縁ガイド１００および電源基板２００が板金３００に取り付けられ、さらに第１のハーネス２０１および第２のハーネス２０２の各両端のコネクタが、それぞれに対応する相手のコネクタに接続されているものとする。
【００８９】
メンテナンス要員は、次の（１）〜（９）の作業を実施する。
【００９０】
（１）最初に、第１のハーネス２０１のコネクタＣＮ１１Ａを電源基板２００上のコネクタＣＮ１１Ｂから取り外すとともに（＃１参照）、第２のハーネス２０２のコネクタＣＮ２１Ａを電源基板２００上のコネクタＣＮ２１Ｂから取り外す（＃１参照）。
【００９１】
（２）次に、第２のハーネス２０２を絶縁ガイド１００（の第２の配線経路１０２にかかわる構造）から取り外す（＃２参照）。
【００９２】
（３）続いて、第１のハーネス２０１が取り付けられている絶縁ガイド１００を板金３００から取り外す（＃３参照）。
【００９３】
（４）さらに、電源基板２００の６つのネジ２０４Ａを取り外した後、この電源基板２００を板金３００から取り外し、その後、板金３００を上記装置本体から取り外す。
【００９４】
（５）そして、交換ユニットとしての光走査装置３３に対する所望の作業例えばメンテナンスや部品交換などの作業を実施する。
【００９５】
（６）上述したようにして作業を終了した場合、板金３００を上記装置本体にビス止めにより取り付けた後、その板金３００に電源基板２００をビス止めにより取り付ける。
【００９６】
（７）取り外し中の絶縁ガイド１００の第２の配線経路１０２に第２のハーネス２０２を配線する。
【００９７】
（８）第１の配線経路１０１にかかわる構造に一体化されている第１のハーネス２０１が配線されているのに加えて、第２のハーネス２０２が配線された絶縁ガイド１００を、板金３００に取り付ける。
【００９８】
（９）最後に、第１のハーネス２０１のコネクタＣＮ１１Ａを電源基板２００上のコネクタＣＮ１１Ｂに接続するとともに、第２のハーネス２０２のコネクタＣＮ２１Ａを電源基板２００上のコネクタＣＮ２１Ｂに接続する。
【００９９】
以上説明したように実施の形態では、絶縁ガイド（の第１の配線経路にかかわる構造）に配線された第１のハーネス（一次側のハーネス）は当該絶縁ガイドと一体化された状態となる。
【０１００】
そのため、絶縁ガイドを着脱するように板金に取り付ける場合に、配線されている第１のハーネスと板金との接触あるいは挟み込みの事象が抑制される。しかも、このような事象に起因する第１のハーネスの被覆部材（絶縁部分）に対するキズの発生が抑制される。これにより、第１のハーネスと板金との絶縁が確保されるとともに、第１のハーネスと第２のハーネスとの絶縁が確保される。すなわち、電気的安全性が確保される。
【０１０１】
また、メンテナンス要員が例えば交換ユニット（光走査装置）に対する所望の作業（メンテナンスや部品交換など）を実施するに際し、第１のハーネスを絶縁ガイドから取り外すことなく、板金に取り付けられた絶縁ガイドの取り外しが行える。しかも、前記所望の作業が終了した後に、前記取り外された絶縁ガイドが板金に取り付けられることにより、第１のハーネスも配線されたことになるので、第１のハーネスの誤配線が抑制される。
【０１０２】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【産業上の利用可能性】
【０１０３】
本発明の電子機器は、電子写真プロセス方式あるいはインクジェット方式により、モノクロ印刷およびカラー印刷の少なくとも一方の印刷を実行する画像形成装置に適用するようにしてもよい。
【符号の説明】
【０１０４】
１  画像形成装置
１０  電源ユニット
２０  制御系
３０  画像形成部
３３  光走査装置
３６  定着装置
３８  モータ
１００  絶縁ガイド
１０１  第１の配線経路
１０２  第２の配線経路
１１０，１２０，１４０  側面部材
１１１  開口部
１２１，１４１  規制部材
１３０，１５０  底面部材
２００  電源基板
２００Ａ  電源回路
２０１  第１のハーネス
２０２  第２のハーネス
２７０  過電流保護回路
３００  板金
ＣＮ１１Ａ，ＣＮ１１Ｂ，ＣＮ１２Ａ，ＣＮ１２Ｂ  コネクタ
ＣＮ２１Ａ，ＣＮ２１Ｂ，ＣＮ２２Ａ，ＣＮ２２Ｂ  コネクタ
【図１】
0005472805.tif 000002
【図２】
0005472805.tif 000003
【図３】
0005472805.tif 000004
【図４】
0005472805.tif 000005
【図５】
0005472805.tif 000006
【図６】
0005472805.tif 000007
【図７】
0005472805.tif 000008
【図８】
0005472805.tif 000009
【図９】
0005472805.tif 000010
【図１０】
0005472805.tif 000011
【図１１】
0005472805.tif 000012
【図１２】
0005472805.tif 000013
【図１３】
0005472805.tif 000014
【図１４】
0005472805.tif 000015
【図１５】
0005472805.tif 000016